(57)【特許請求の範囲】
【請求項１】
液透過性の表面シートと、液不透過性の裏面シートと、前記表面シートと前記裏面シートとの間に配置される吸収体とを有する吸収性物品であって、
前記吸収体における排泄口対応領域の両側縁に、複数の第１圧搾部が離間して設けられており、
前記吸収体において前記第１圧搾部が設けられている領域以外の全域に渡って、複数の第２圧搾部が離間して設けられており、
前記第１圧搾部の平面視形状では、前記吸収性物品の長手方向に沿った寸法が、前記吸収性物品の幅方向に沿った寸法よりも長くなるように構成されており、
前記第２圧搾部の平面視形状では、前記吸収性物品の幅方向に沿った寸法が、前記吸収性物品の長手方向に沿った寸法よりも長くなるように構成されており、
前記排泄口対応領域における前記第２圧搾部の面積率は、前記排泄口対応領域の周辺領域における前記第２圧搾部の面積率よりも低くなるように構成されており、
前記排泄口対応領域の内部に、周辺領域よりも吸収体目付けが高くなるように構成されている領域が設けられていることを特徴とする吸収性物品。
【請求項２】
前記第１圧搾部は、前記吸収性物品の長手方向に沿って離間して設けられており、
前記第２圧搾部は、前記吸収性物品の幅方向に沿って離間して設けられていることを特徴とする請求項１に記載の吸収性物品。
【請求項３】
前記吸収性物品の長手方向の前側の剛性は、前記吸収性物品の長手方向の後側の剛性よりも高くなるように構成されていることを特徴とする請求項１又は２に記載の吸収性物品。
【請求項４】
前記吸収性物品の長手方向の後側の剛性は、前記吸収性物品の長手方向の前側の剛性よりも高くなるように構成されていることを特徴とする請求項１又は２に記載の吸収性物品。
【請求項５】
前記第２圧搾部の面積率は、前記吸収性物品の長手方向において、前記排泄口対応領域に近づくに連れて高くなるように構成されていることを特徴とする請求項１乃至４のいずれか一項に記載の吸収性物品。
【請求項６】
前記第２圧搾部の少なくとも１つは、吸収体目付けが高い領域と吸収体目付けが低い領域との間の境界を跨ぐように配置されていることを特徴とする請求項１乃至５のいずれか一項に記載の吸収性物品。
【請求項７】
前記第２圧搾部の前記吸収性物品の幅方向に沿った寸法は、隣接する前記第２圧搾部間の前記吸収性物品１の幅方向Ｗに沿った間隔よりも短くなるように構成されていることを特徴とする請求項１乃至６のいずれか一項に記載の吸収性物品。
【請求項８】
前記複数の第１圧搾部及び前記複数の第２圧搾部は、それぞれ千鳥状に配置されていることを特徴とする請求項７に記載の吸収性物品。
【請求項９】
前記複数の第１圧搾部及び前記複数の第２圧搾部は、直線を含む形状であることを特徴とする請求項１乃至８のいずれか一項に記載の吸収性物品。
【発明の詳細な説明】
【技術分野】
【０００１】
本発明は、吸収性物品に関する。
【背景技術】
【０００２】
従来、複数の圧搾部が離間して設けられている吸収体を有する吸収性物品が知られている（例えば、特許文献１参照）。
【先行技術文献】
【特許文献】
【０００３】
【特許文献１】特開２００３-３３３９７号公報
【発明の概要】
【発明が解決しようとする課題】
【０００４】
しかしながら、出願人は、上述の吸収体物品について、以下のような問題点を発見した。
【０００５】
特許文献１に示す吸収性物品では、吸収体の排泄口対応領域に圧搾部が設けられていないため、かかる排泄口対応領域が、当該排泄口対応領域の周辺領域よりも厚くなるため、かかる吸収性物品が、着用者の排泄口の周辺の体にフィットしすぎてしまい、着用者に対して異物感を与えてしまう可能性があるという問題点がある。
【０００６】
また、特許文献１に示す吸収性物品では、吸収体の排泄口対応領域に圧搾部が設けられていないため、かかる排泄口対応領域の剛性が、当該排泄口対応領域の周辺領域内の圧搾部が設けられている領域よりも低いため、着用時に、着用者の内股からの外力が加わった場合に、排泄口対応領域が、縒れ易くなり、着用者の排泄口の周辺の体にフィットできなくなり、体液の漏れが発生してしまう危険性があるという問題点がある。
【０００７】
さらに、特許文献１に示す吸収性物品では、上述の圧搾部が、平面視形状において、直線形状を有していないため、吸収体の剛性の方向付けができないため、着用者の歩行等の動作によって、吸収性物品の幅方向からの外力が加わった場合に、かかる吸収体が、縒れ易くなり、体液の漏れが発生してしまう危険性があるという問題点がある。
【０００８】
そこで、本発明は、上述の課題に鑑みてなされたものであり、製品全体を薄くしながら、柔軟性を維持した上で、縒れにくくすることができる吸収性物品を提供することを目的とする。
【課題を解決するための手段】
【０００９】
本発明の第１の特徴は、液透過性の表面シートと、液不透過性の裏面シートと、前記表面シートと前記裏面シートとの間に配置される吸収体とを有する吸収性物品であって、前記吸収体における排泄口対応領域の両側縁に、複数の第１圧搾部が離間して設けられており、前記吸収体において前記第１圧搾部が設けられている領域以外の全域に渡って、複数の第２圧搾部が離間して設けられており、前記第１圧搾部の平面視形状では、前記吸収性物品の長手方向に沿った寸法が、前記吸収性物品の幅方向に沿った寸法よりも長くなるように構成されており、前記第２圧搾部の平面視形状では、前記吸収性物品の幅方向に沿った寸法が、前記吸収性物品の長手方向に沿った寸法よりも長くなるように構成されていることを要旨とする。
【発明の効果】
【００１０】
以上説明したように、本発明によれば、製品全体を薄くしながら、柔軟性を維持した上で、縒れにくくすることができる吸収性物品を提供することができる。
【図面の簡単な説明】
【００１１】
【図１】本発明の第１の実施形態に係る吸収性物品の肌当接面側から見た平面図である。
【図２】本発明の第１の実施形態に係る吸収性物品の肌当接面側から見た平面図におけるａ-ａ断面図及びｂ-ｂ断面図である。
【図３】本発明の第１の実施形態に係る吸収性物品の吸収体の肌当接面側から見た平面図である。
【図４】本発明の第１の実施形態に係る吸収性物品の吸収体の肌当接面側から見た平面図である。
【図５】本発明の第１の実施形態に係る吸収性物品の吸収体の肌当接面側から見た平面図である。
【図６】本発明の第１の実施形態に係る吸収性物品の製造方法について説明するための図である。
【図７】本発明の第１の実施形態に係る吸収性物品の製造方法について説明するための図である。
【発明を実施するための形態】
【００１２】
（本発明の第１の実施形態）
図１乃至図７を参照して、本発明の第１の実施形態に係る吸収性物品１について説明する。例えば、本実施形態に係る吸収性物品１は、紙おむつや失禁パッドや生理用ナプキン等である。
【００１３】
図１に示すように、本実施形態に係る吸収性物品１は、幅方向Ｗの両外側に延出するように形成されている１対のウィング部３０を有していてもよい。また、本実施形態に係る吸収性物品１は、長手方向Ｌにおいて、ウィング部３０の後方に、１対の後方ウィング部（図示せず）を有していてもよい。
【００１４】
また、図１及び図２に示すように、本実施形態に係る吸収性物品１には、長手方向Ｌに沿って、表面シート２１から吸収体１０までを圧搾するように構成されている複数の圧搾溝２６が設けられていてもよい。
【００１５】
図２に示すように、本実施形態に係る吸収性物品１は、液透過性の表面シート２１と、液不透過性の裏面シート２２と、ウィング部３０を構成するサイドシート３１と、表面シート２１と裏面シート２２との間に配置される吸収体１０とを有する。なお、本実施形態に係る吸収性物品１は、表面シート２１と吸収体１０との間に、セカンドシートを有していてもよい。
【００１６】
吸収体１０は、粉砕パルプ及び高分子吸収ポリマーからなる吸収体コア１０Ａと吸収体コア１０Ａを包み込むコアラップ１０Ｂとによって構成されている。ここで、高分子ポリマーは、アクリル酸ナトリウム共重合体の粒状のポリマーである。
【００１７】
また、コアラップ１０Ｂは、液体を吸収する任意の材料のシートである。例えば、コアラップとして、ティッシュを用いてもよいし、親水性繊維や粉砕パルプをエアレイド法によってシート状にしたエアレイドシートを用いてもよい。
【００１８】
ここで、図１及び図２に示すように、排泄口対応領域１５の内部に、周辺領域よりも吸収体目付けが高くなるように構成されている領域１６が設けられていてもよい。
【００１９】
例えば、領域１６における吸収体１０の目付けは、３００ｇ/ｍ２であり、領域１６における吸収体１０の厚さは、３ｍｍであり、領域１６の周辺領域における吸収体１０の目付けは、１００ｇ/ｍ２であり、領域１６の周辺領域における吸収体１０の厚さは、２ｍｍであってもよい。
【００２０】
また、吸収体１０の剛性値は、２ｍＮから３ｍＮの範囲であることが好ましい。なお、かかる剛性値は、ＪＩＳ-１０９６（１９９４年度更新版）に規定されているガーレー法を用いて測定する値である。
【００２１】
また、表面シート２１として、ポリエチレンやポリプロピレンやポリエチレンテレフタレートといったポリオレフィン繊維からなるスルーエアー不織布若しくは開孔したポリエチレンフィルムを用いてもよい。
【００２２】
また、裏面シート２２として、ポリオレフィンフィルムを用いてもよいし、サイドシート３１として、ポリエチレンやポリプロピレンやポリエチレンテレフタレートといったポリオレフィン繊維からなるスパンボンドやスルーエアー不織布を用いてもよい。
【００２３】
さらに、セカンドシートしては、ポリエチレンやポリプロピレンやポリエチレンテレフタレートといったポリオレフィン繊維からなるスルーエアー不織布を用いてもよい。
【００２４】
また、本実施形態に係る吸収性物品１には、長手方向Ｌに沿って防漏壁（図示せず）が設けられていてもよい。
【００２５】
ここで、防漏壁は、ポリエチレンやポリプロピレンやポリエチレンテレフタレートといったポリオレフィン繊維からなるスパンボンドやＳＭＳ等の不織布基材に延伸した糸状の弾性部材を配して構成されていてもよい。
【００２６】
図３に示すように、吸収体１０における排泄口対応領域１５の両側縁に、複数の第１圧搾部１２が離間して設けられている。ここで、複数の第１圧搾部１２は、吸収性物品１の幅方向Ｗに沿って離間するのみでなく、吸収性物品１の長手方向Ｌに沿って離間して設けられていてもよい。
【００２７】
なお、かかる排泄口対応領域１５は、着用者の膣口に当接する領域であり、例えば、着用者の下着に吸収性物品１が着用される際に、下着の２つの足回り開口の間に配置される領域である。
【００２８】
ここで、着用者は、吸収性物品１を下着に着用する際に、ウィング部３０を下着のクロッチに巻き込み、後方ウィング部を下着の上に広げて、吸収性物品１を下着に固定する。
【００２９】
そのため、例えば、本実施形態に係る吸収性物品１において、ウィング部３０が設けられている場合、上述の排泄口対応領域１５の中心線は、長手方向Ｌにおけるウィング部３０の中心線に一致する。
【００３０】
なお、ウィング部３０が設けられていなく、かつ吸収性物品１の幅方向Ｗの長さ寸法がほぼ一定の場合、上述の排泄口対応領域１５の中心線は、吸収性物品１（すなわち、製品）の長手方向Ｌにおける中心において幅方向Ｗに延びる線である。
【００３１】
また、ウィング部３０が設けられていない場合、着用者は、吸収性物品１を下着に着用する際に、吸収性物品１の幅方向Ｗの長さ寸法が最も短い位置を、下着のクロッチに合わせて、吸収性物品１を下着に固定してもよい。この場合、すなわち、本実施形態に係る吸収性物品１において、ウィング部３０が設けられていない場合、上述の排泄口対応領域１５の中心線は、吸収性物品１の幅方向Ｗの長さ寸法が最も短い位置において幅方向Ｗに延びる線である。
【００３２】
例えば、吸収性物品１の長手方向の寸法（製品長）が「２１ｃｍ」である場合には、排泄口対応領域１５は、吸収体１０の長手方向Ｌの前端部及び後端部から「４０ｍｍ」〜「５５ｍｍ」の位置に設けられており、吸収体１０の幅方向Ｗの両端部から「６ｍｍ」〜「１６ｍｍ」の位置に設けられている。なお、吸収性物品１の長手方向の寸法（製品長）が、その他の寸法である場合には、排泄口対応領域１５の設けられる位置は、異なった位置になる。
【００３３】
ここで、第１圧搾部１２の平面視形状では、図３に示すように、吸収性物品１の長手方向Ｌに沿った寸法Ｌ１が、吸収性物品１の幅方向Ｗに沿った寸法Ｗ１よりも長くなるように構成されている。
【００３４】
例えば、吸収体１０の剛性の観点からは、寸法Ｌ１は、３ｍｍ以下であり、寸法Ｗ１は、２ｍｍ以下であることが好ましい。
【００３５】
なお、本実施形態に係る吸収性物品１において、図３に示すように、複数の第１圧搾部１２は、排泄口対応領域１５の両側縁の領域１１に設けられている。領域１１は、図３に示すような台形形状であってもよいし、その他の任意の形状であってもよい。
【００３６】
また、複数の第１圧搾部１２は、吸収性物品１の長手方向Ｌに沿った直線を含む形状である。本実施形態では、複数の第１圧搾部１２では、吸収性物品１の長手方向Ｌの両先端が半円状に形成されている。なお、複数の第１圧搾部１２は、同じ面積や形状を有していてもよいし、異なる面積や形状を有していてもよい。
【００３７】
かかる構成によれば、第１圧搾部１２が、吸収性物品１の幅方向Ｗに沿って離間して設けられているので、高剛性部（第１圧搾部１２）と低剛性部（第１圧搾部１２以外）とが交互に繰り返されており、複数の折れ起点が存在することになる。
【００３８】
その結果、吸収性物品１の幅方向Ｗからの外力が該吸収性物品１に加わった際、すなわち、着用者の内股からの外力が加わった際に、排泄口対応領域１５の両側縁の領域１１において、吸収性物品１は、吸収性物品１の長手方向Ｌに沿って折れ曲がりやすくなる。従って、着用者が股を閉じた場合であっても、着用者に対する違和感（固さ）の低減やフィット性の向上等を両立することができる。
【００３９】
さらに、かかる構成によれば、複数の第１圧搾部１２が、吸収性物品１の長手方向Ｌに沿って離間して設けられていることや、複数の第１圧搾部１２が、吸収性物品１の長手方向Ｌに沿った直線を含む形状であることで、吸収性物品１の幅方向Ｗに経血が流れたとしても、第１圧搾部１２によって、かかる経血を吸収性物品１の長手方向Ｌに拡散誘導することができ、経血の横漏れを防ぐことができる。
【００４０】
特に、複数の第１圧搾部１２では、吸収性物品１の長手方向Ｌの両先端が半円状に形成されているので、吸収性物品１の変形が繰り返されても、表面シート２１等がやぶれにくい。
【００４１】
また、吸収体１０において第１圧搾部１２が設けられている領域１１以外の全域に渡って、複数の第２圧搾部１３が離間して設けられている。ここで、複数の第２圧搾部１３は、吸収性物品１の長手方向Ｌに沿って離間するのみでなく、吸収性物品１の幅方向Ｗに沿って離間して設けられていてもよい。
【００４２】
ここで、第２圧搾部１３の平面視形状では、図３に示すように、吸収性物品１の幅方向Ｗに沿った寸法Ｗ２が、吸収性物品１の長手方向Ｌに沿った寸法Ｌ２よりも長くなるように構成されている。
【００４３】
例えば、吸収体１０の剛性の観点からは、寸法Ｗ２は、３ｍｍ以下であり、寸法Ｌ２は、２ｍｍ以下であることが好ましい。
【００４４】
また、複数の第２圧搾部１３は、吸収性物品１の幅方向Ｗに沿った直線を含む形状である。本実施形態では、複数の第２圧搾部１３では、吸収性物品１の幅方向Ｗの両先端が半円状に形成されている。なお、複数の第２圧搾部１３は、同じ面積や形状を有していてもよいし、異なる面積や形状を有していてもよい。
【００４５】
かかる構成によれば、吸収性物品１の幅方向Ｗからの外力が該吸収性物品１に加わった際、すなわち、着用者の内股からの外力が加わった際に、第２圧搾部１３によって、排泄口対応領域１５が吸収性物品１の長手方向Ｌに沿って折れ曲がりにくくなる。従って、着用者が股を閉じた場合であっても、排泄口対応領域１５を寄れにくくすることができる。
【００４６】
また、かかる構成によれば、排泄口対応領域１５の後方（お尻側）において、第２圧搾部１３によって、排泄口対応領域１５が吸収性物品１の長手方向Ｌに沿って折れ曲がりにくくなることに伴い、ショーツの着圧がお尻の溝に沿って加わった場合でも、吸収性物品１がお尻の溝に食い込み難くなる。
【００４７】
また、かかる構成によれば、排泄口対応領域１５の前方（恥丘側）において、第２圧搾部１３によって、吸収性物品１の幅方向Ｗにおける吸収体１０の剛性を上げることができ、吸収性物品１が尿道口に食い込み難くなる。
【００４８】
さらに、かかる構成によれば、第２圧搾部１３が吸収性物品１の長手方向Ｌに沿って離間して設けられていることや、複数の第２圧搾部１３は、吸収性物品１の幅方向Ｗに沿った直線を含む形状であることで、高剛性部（第２圧搾部１３）と低剛性部（第２圧搾部１３以外）とが交互に繰り返されており、複数の折れ起点が存在することになる。
【００４９】
その結果、吸収性物品１の長手方向Ｌにおける吸収体１０の剛性を低下させることができるので、吸収体１０が、着用者の体の曲率に合わせて変形し易くなり、吸収性物品１の着用者の体へのフィット感を向上させることができる。
【００５０】
特に、複数の第２圧搾部１３では、吸収性物品１の幅方向Ｗの両先端が半円状に形成されているので、吸収性物品１の変形が繰り返されても、表面シート２１等がやぶれにくい。
【００５１】
また、かかる構成によれば、吸収体１０は、吸収性物品１の幅方向Ｗに長い形状（Ｗ２＞Ｌ２）の複数の第２圧搾部１３によって、吸収性物品１の幅方向Ｗからの外力（例えば、着用者の内股からの外力等）に対して容易に変形し難くなる。
【００５２】
また、図３に示すように、第２圧搾部１３の吸収性物品１の幅方向Ｗに沿った寸法Ｗ２は、隣接する第２圧搾部１３間の吸収性物品１の幅方向Ｗに沿った間隔ａよりも短くなるように構成されていてもよい。
【００５３】
例えば、隣接する第２圧搾部１３間の吸収性物品１の幅方向Ｗに沿った間隔ａは、１０ｍｍ以下であり、隣接する第２圧搾部１３間の吸収性物品１の長手方向Ｌに沿った間隔ｂは、１０ｍｍ以下であり、より好ましくは、ａ及びｂが共に、５ｍｍ以下である。
【００５４】
かかる構成によれば、吸収性物品１が固くなり過ぎず、柔軟性を維持した上で、縒れにくくできるとともに、着用者に対する違和感（固さ）の低減やフィット性の向上等を両立することができる。
【００５５】
また、図３に示すように、複数の第１圧搾部１２及び複数の第２圧搾部１３は、それぞれ千鳥状に配置されていてもよい。
【００５６】
かかる構成によれば、着用者の動きに応じて、吸収体１０がねじれるような力Ｆ１及びＦ２が加わった場合、剛性が高い部分（第１圧搾部１２及び第２圧搾部１３）と剛性が低い部分（第１圧搾部１２及び第２圧搾部１３以外の部分）との間の境界線Ｌ１及びＬ２を折れ起点として、折れ曲がり易くなり（すなわち、ねじれ易くなり）、着用者に対する違和感を低減することができる。
【００５７】
また、図３に示すように、排泄口対応領域１５における第２圧搾部１３の面積率は、排泄口対応領域１５の周辺領域における第２圧搾部１３の面積率よりも低くなるように構成されていてもよい。
【００５８】
例えば、排泄口対応領域１５における第２圧搾部１３の数を、排泄口対応領域１５の周辺領域における第２圧搾部１３の数よりも少なくするように構成されていてもよい。
【００５９】
また、排泄口対応領域１５において、吸収性物品１の長手方向Ｌに沿って配置されている第２圧搾部１３の列を少なくするように構成されていてもよいし、排泄口対応領域１５において、吸収性物品１の幅方向Ｗに沿って配置されている第２圧搾部１３の行を少なくするように構成されていてもよい。
【００６０】
さらに、図４に示すように、排泄口対応領域１５における第２圧搾部１３の数及び排泄口対応領域１５の周辺領域における第２圧搾部１３の数は、同一であるが、排泄口対応領域１５における第２圧搾部１３の面積を小さくするように構成されていてもよい。
【００６１】
なお、上述のパターンのいくつかを組み合わせることによって、排泄口対応領域１５における第２圧搾部１３の面積率を、排泄口対応領域１５の周辺領域における第２圧搾部１３の面積率よりも低くするように構成されていてもよい。
【００６２】
ここで、排泄口対応領域１５における第２圧搾部１３の面積率は、「（排泄口対応領域１５内に設けられている第２圧搾部１３の面積の合計）÷（排泄口対応領域１５の面積）」によって算出され、排泄口対応領域１５の周辺領域における第２圧搾部１３の面積率は、「（排泄口対応領域１５の周辺領域内に設けられている第２圧搾部１３の面積の合計）÷（排泄口対応領域１５の周辺領域の面積）」によって算出される。
【００６３】
なお、かかる第２圧搾部１３の面積率の測定方法としては、例えば、特定の第２圧搾部１３の１点を中心とした所定範囲（例えば、２ｃｍ×２ｃｍの大きさの範囲）内の第２圧搾部１３の面積率を測定してもよい。
【００６４】
ここで、例えば、排泄口対応領域１５における第２圧搾部１３の面積率、及び、排泄口対応領域１５の周辺領域における第２圧搾部１３の面積率共に、１０％以下であり、より好ましくは、５％以下である。
【００６５】
また、図５に示すように、第２圧搾部１３の面積率は、吸収性物品１の長手方向Ｌにおいて、排泄口対応領域１５に近づくに連れて高くなるように構成されていてもよい。
【００６６】
かかる構成によれば、排泄口対応領域１５及び排泄口対応領域１５の周辺領域の剛性が、それ以外の領域の剛性よりも高くなるので、排泄口対応領域１５が容易に変形することを回避することができる。
【００６７】
また、かかる構成によれば、第２圧搾部１３の面積率が、吸収性物品１の長手方向Ｌにおいて、排泄口対応領域１５に近づくに連れて高くなるように構成されているので、着用者のお尻の曲率が高い部分に対応する位置（すなわち、排泄口対応領域１５の前方及び後方）において、吸収性物品１の幅方向Ｗに沿って曲がり易くなる。従って、着用者に対するフィット性を向上させることができる。
【００６８】
かかる構成によれば、排泄口対応領域１５において、周辺領域よりも吸収体１０の目付けが高い領域１６が設けられており、かつ、第２圧搾部１３の面積率が、周辺領域における第２圧搾部１３の面積率よりも低いため、排泄口対応領域１５において、体液の吸収能力を高めることができ、かつ、体液が吸収された後であっても着用者に異物感を与えることを回避することができる。
【００６９】
また、図３に示すように、周辺領域よりも吸収体１０の目付けが高い領域１６における平面視形状の大きさは、排泄口対応領域１５における平面視形状の大きさよりも小さくなるように構成されている。すなわち、領域１６における吸収性物品１の長手方向Ｌ及び幅方向Ｗに対する寸法は、排泄口対応領域１５における吸収性物品１の長手方向Ｌ及び幅方向Ｗに対する寸法よりも小さくなるように構成されている。
【００７０】
例えば、吸収体１０の剛性の観点からは、排泄口対応領域１５は、領域１６よりも、吸収性物品１の長手方向Ｌの寸法及び幅方向Ｗの寸法が、１ｍｍ以上長く、より好ましくは、５ｍｍ以上長い。
【００７１】
また、図３に示すように、第２圧搾部１３の少なくとも１つは、吸収体１０の目付けが高い領域１６と吸収体１０の目付けが低い領域との間の境界Ｘを跨ぐように配置されていてもよい。
【００７２】
かかる構成によれば、吸収性物品１の幅方向Ｗからの外力が該吸収性物品１に加わった際、すなわち、着用者の内股からの外力が加わった際に、上述の境界Ｘで曲がりにくく、複数の第１圧搾部１２によって吸収性物品１の長手方向Ｌに沿ってより確実に折れ曲がりやすくすることができる。
【００７３】
ここで、高目付け領域である領域１６において、排泄口対応領域１５の周辺領域と同じ第２圧搾部１３の面積率を適用すると、かかる領域１６の剛性が過度に高まってしまい、着用者に異物感を与える可能性がある。
【００７４】
特に、吸収体１０の製造ラインでは、後述するように、吸収体１０を生成した後に、第２圧搾部１３を形成するように構成されているため、吸収体１０の製造ラインがＣＤ方向に蛇行した場合には、かかる問題点が発生する可能性が高くなる。
【００７５】
したがって、上述のように、領域１６を排泄口対応領域１５よりも狭くすることによって、領域１６における過度の剛性の高まりを回避し、吸収体１０の製造ラインがＣＤ方向に蛇行した場合であっても、排泄口対応領域１５内で左右に過度の剛性差の発生を抑制することができる。
【００７６】
また、吸収性物品１の長手方向Ｌの前側の剛性は、吸収性物品１の長手方向Ｌの後側の剛性よりも高くなるように構成されていてもよい。
【００７７】
例えば、長手方向Ｌの寸法が２７ｃｍ以上である吸収性物品１（夜用ナプキン等）では、漏れ防止のため防漏部を備えている場合が多いが、吸収性物品１の長手方向Ｌの前側の剛性を下げると、防漏部に備えられた弾性材の応力で、吸収性物品１の長手方向Ｌの前側が折れ返ってしまい、着用者に違和感を与えてしまう可能性がある。
【００７８】
したがって、かかる事態を避けるために、上述のように、吸収性物品１の長手方向Ｌの前側の剛性を、吸収性物品１の長手方向Ｌの後側の剛性よりも高くしてもよい。
【００７９】
また、吸収性物品１の長手方向Ｌの後側の剛性は、吸収性物品１の長手方向Ｌの前側の剛性よりも高くなるように構成されていてもよい。
【００８０】
例えば、長手方向Ｌの寸法が２７ｃｍ未満である吸収性物品１（昼用ナプキン或いはレギュラータイプのナプキン等）では、吸収性物品１の長手方向Ｌの後側の剛性を低下させると、着用者の肛門付近で吸収性物品がお尻の溝に食い込みすぎて、着用者に異物感を与えてしまう可能性がある。
【００８１】
したがって、かかる事態を避けるために、上述のように、吸収性物品１の長手方向Ｌの後側の剛性を、吸収性物品１の長手方向Ｌの前側の剛性よりも高くしてもよい。
【００８２】
ここで、吸収体１０の目付けを高めることによって、吸収性物品１の長手方向Ｌの前側（或いは後側）の剛性を高めてもよいし、圧搾部を形成することによって、吸収性物品１の長手方向Ｌの前側（或いは後側）の剛性を高めてもよい。
【００８３】
例えば、図３に示すように、吸収性物品１の長手方向Ｌの前側（或いは後側）の両側縁部に圧搾部５０を形成することによって、吸収性物品１の長手方向Ｌの前側（或いは後側）の剛性を、吸収性物品１の長手方向Ｌの後側（或いは前側）の剛性よりも高くなるように構成してもよい。
【００８４】
次に、図６及び図７を参照して、本実施形態に係る吸収性物品１の製造方法の一部について、具体的には、本実施形態に係る吸収性物品１の吸収体１０の製造方法の一部について説明する。なお、図６及び図７に記載されていない方法については、既存の方法を用いることができる。
【００８５】
図６に示すように、ステップＳ１０１において、粉砕されたパルプ及び吸収ポリマーの積層体からなる吸収体コア１０Ａをコアラップ１０Ｂでラッピングし、加圧ロール１００Ａ及び１００Ａ-１を通過させる。
【００８６】
ステップＳ１０２において、吸収体カッター１００Ｂを用いて、所定の寸法及び形状にカットすることによって、吸収体１０を生成する。
【００８７】
ステップＳ１０３において、搬送ベルト１００Ｃによって、吸収体カッター１００Ｂによって生成された吸収体１０を搬送する。
【００８８】
ここで、吸収体カッター１００Ｂと搬送ベルト１００Ｃとの間には、スペースが存在するため、図７に示すように、吸収体１００は、吸収体カッター１００Ｂによって生成された直後、自重で、鉛直方向Ａに垂れ下がってしまうという問題点がある。
【００８９】
かかる問題点を解決するために、吸収体１０の剛性を上げる必要がある。ここで、全体的に吸収体１０の剛性を上げてしまうと、着用者に異物感を与えてしまうため、ＭＤ方向の前側においてのみ吸収体１０の剛性を上げる。
【００９０】
すなわち、長手方向Ｌの寸法が２７ｃｍ以上である吸収性物品１（夜用ナプキン等）では、ＭＤ方向の前側に、吸収性物品１の長手方向Ｌの前側を配置するため、吸収性物品１の長手方向Ｌの前側の剛性を高めることになる。
【００９１】
一方、長手方向Ｌの寸法が２６ｃｍ未満である吸収性物品１（昼用ナプキン或いはレギュラータイプのナプキン等）では、ＭＤ方向の前側に、吸収性物品１の長手方向Ｌの後側を配置するため、吸収性物品１の長手方向Ｌの後側の剛性を高めることになる。
【００９２】
ここで、例えば、吸収体１０の前側の５０％以下の領域、より好ましくは、吸収体１０の前側の３０％以下の領域においてのみ、吸収体１０の剛性を上げる。
【００９３】
かかる構成によれば、吸収体１０の製造ラインにおいて直進安定性を向上させることができる。
【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９５】
１…吸収性物品
１０…吸収体
１２…第１圧搾部
１３…第２圧搾部
１５…排泄口対応領域
２１…表面シート
２２…裏面シート
３０…ウィング部
３１…サイドシート
【図１】
0005649361.tif 000002
【図２】
0005649361.tif 000003
【図３】
0005649361.tif 000004
【図４】
0005649361.tif 000005
【図５】
0005649361.tif 000006
【図６】
0005649361.tif 000007
【図７】
0005649361.tif 000008